(57)【特許請求の範囲】
【請求項１】
番組データと、当該番組データの番組ＩＤ、および当該番組データの時間情報を少なくとも含む番組情報とを受信する第１の受信機と、前記第１の受信機のユーザが使用する第１の端末と、前記番組データと前記番組情報とを受信する第２の受信機と、前記第２の受信機のユーザが使用する第２の端末と、インターネット上で共有する記事データを記憶する共有記事サーバと、前記共有記事サーバの記事データを配信する配信サーバと、を備える放送コミュニケーションシステムであって、
前記第１の受信機は、
受信した番組データが再生されると、再生された番組データの番組ＩＤを前記第１の端末に送信する第１の送信手段を備え、
前記第１の端末は、
受信した番組ＩＤと、自己の端末ＩＤとを前記配信サーバに送信する第２の送信手段と、
前記第１の端末のユーザが入力した記事データと、当該ユーザのユーザＩＤとを前記共有記事サーバに送信する第３の送信手段と、
を備え、
前記共有記事サーバは、
受信した記事データと、当該受信した記事データの時間情報と、受信したユーザＩＤとをそれぞれ対応付けて記憶する共有記事記憶手段を備え、
前記第２の受信機は、
受信した番組データが再生されると、再生された番組データの番組ＩＤおよび時間情報を前記第２の端末に送信する第４の送信手段を備え、
前記第２の端末は、
受信した番組ＩＤおよび時間情報、ならびに自己の端末ＩＤを前記配信サーバに送信する第５の送信手段と、
受信した記事データを表示する表示手段と、
を備え、
前記配信サーバは、
あらかじめ登録され、前記第１の端末のユーザのユーザＩＤと、当該第１の端末の端末ＩＤと、前記第２の端末の端末ＩＤとがそれぞれ対応付けて記憶される対応関係記憶手段と、
前記第１の端末から受信した番組ＩＤ、および第１の端末の端末ＩＤが対応付けて記憶される記事投稿端末記憶手段と、
前記第２の端末から受信した第２の端末の端末ＩＤおよび番組ＩＤに基づいて、前記対応関係記憶手段および前記記事投稿端末記憶手段からユーザＩＤを取得するユーザＩＤ取得手段と、
前記取得されたユーザＩＤと、受信した時間情報とに基づいて、前記共有記事サーバから記事データを取得し、当該取得した記事データを前記第２の端末に送信する記事取得送信手段と、
を備えることを特徴とする放送コミュニケーションシステム。
【請求項２】
前記対応関係記憶手段に対応付けて記憶される前記第１の端末の端末ＩＤと、前記第２の端末の端末ＩＤとは、同一種類の第１の端末および第２の端末の端末ＩＤであって、
前記第２の受信機は、
前記再生された番組データの番組ＩＤと、自己の機器ＩＤとを前記配信サーバに送信する第６の送信手段と、
受信した端末ＩＤに基づいて第１の端末を選択し、前記再生された番組データの番組ＩＤおよび時間情報を当該選択された第２の端末に送信する第７の送信手段と、
を備え、
配信サーバは、
受信機の機器ＩＤと、当該受信機のユーザが使用する端末の端末ＩＤとを対応付けて記憶する端末情報記憶手段と、
受信した機器ＩＤに基づいて、前記端末情報記憶手段から端末ＩＤを取得し、当該取得した端末ＩＤを前記第２の受信機に送信する端末情報取得送信手段と、
を備えることを特徴とする請求項１に記載の放送コミュニケーションシステム。
【請求項３】
前記第１の送信手段は、
前記再生された番組データの番組ＩＤとともに、当該番組データの時間情報を前記第１の端末に送信し、
前記第２の送信手段は、
前記受信した番組ＩＤと前記自己の端末ＩＤとともに、受信した時間情報と前記第１の端末のユーザのユーザＩＤとを前記配信サーバに送信し、
前記配信サーバは、
前記第１の端末から受信した時間情報に従い、前記第１の端末から受信したユーザＩＤに基づいて前記共有記事サーバから記事データを取得する共有記事取得手段と、
前記受信したユーザＩＤ、前記第１の端末から受信した番組ＩＤ、および共有記事取得手段において取得した記事データをそれぞれ対応付けて記憶する番組記事記憶手段と、
を備え、
前記記事取得送信手段は、
前記取得されたユーザＩＤと、前記第２の端末から取得した番組ＩＤとに基づいて、前記番組記事記憶手段から記事データを取得し、当該取得した記事データを前記第２の端末に送信することを特徴とする請求項１または２に記載の放送コミュニケーションシステム。
【請求項４】
前記時間情報は、前記番組データの放送開始時刻および放送終了時刻を含み、
前記記事取得送信手段は、受信した時間情報の放送開始時刻から放送終了時刻の間、前記取得したユーザＩＤに基づいて、逐次的に前記共有記事サーバから記事データを取得し、前記取得した記事データを前記第２の端末に送信することを特徴とする請求項１または２に記載の放送コミュニケーションシステム。
【請求項５】
番組データ、および当該番組データの番組ＩＤを少なくとも含む番組情報を受信する第１の受信機と、前記第１の受信機のユーザが使用する第１の端末と、コンテンツの配信を行う配信サーバと、受信機の機器ＩＤと、当該受信機のユーザが使用する端末の端末ＩＤとを対応付けて記憶する端末情報サーバと、を備える放送コミュニケーションシステムであって、
前記第１の受信機は、
受信した番組データが再生されると、再生された番組データの番組ＩＤと、自己の機器ＩＤとを前記第１の端末に送信する第１の送信手段を備え、
前記第１の端末は、
受信した番組ＩＤおよび機器ＩＤ、ならびに自己の端末ＩＤを前記配信サーバに送信する第２の送信手段と、
受信したコンテンツを表示する表示手段と、
を備え、
前記配信サーバは、
番組ＩＤおよびコンテンツを対応付けてあらかじめ記憶するコンテンツ記憶手段と、
受信した機器ＩＤおよび端末ＩＤについて前記端末情報サーバに照会する端末照会手段と、
前記照会の結果、前記受信した機器ＩＤおよび端末ＩＤが前記端末情報サーバで照会できた場合に、受信した番組ＩＤに基づいて、前記配信サーバからコンテンツを取得し、当該取得したコンテンツを前記第１の端末に送信するコンテンツ取得送信手段と、
を備えることを特徴とする放送コミュニケーションシステム。
【請求項６】
前記コンテンツ記憶手段にコンテンツを登録する第２の端末と、前記登録するユーザの使用する端末の端末ＩＤと、前記登録するユーザが、前記登録するコンテンツの配信を許可するユーザの使用する端末の端末ＩＤとを対応付けて記憶する許可情報サーバと、を備え、
前記第２の端末は、
ユーザが指定したコンテンツ、番組ＩＤ、および第１の端末の端末ＩＤ、ならびに自己の端末ＩＤを前記配信サーバに送信する第３の送信手段を備え、
前記配信サーバは、
前記第２の端末から受信した第２の端末の端末ＩＤ、および第１の端末の端末ＩＤについて前記許可情報サーバに照会する許可照会手段を備え、
前記コンテンツ記憶手段は、
前記照会の結果、前記第２の端末から受信した第２の端末の端末ＩＤおよび前記第１の端末の端末ＩＤが前記許可情報サーバで照会できた場合に、前記第２の端末から受信した番組ＩＤ、第２の端末の端末ＩＤ、およびコンテンツを記憶することを特徴とする請求項５に記載の放送コミュニケーションシステム。
【請求項７】
前記端末ＩＤは、端末の種類を識別する種類ＩＤを含み、
前記配信サーバのコンテンツ記憶手段は、
番組ＩＤ、コンテンツ、および当該コンテンツを表示する端末の種類を識別する種類ＩＤをそれぞれ対応付けて記憶し、
前記コンテンツ取得送信手段は、
前記端末照会手段による照会の結果、前記第１の端末から受信した機器ＩＤおよび端末ＩＤが前記端末情報サーバで照会できた場合に、前記第１の端末から受信した番組ＩＤおよび端末ＩＤに含まれる種類ＩＤに基づいて、前記配信サーバからコンテンツを取得し、当該取得したコンテンツを前記第１の端末に送信することを特徴とする請求項６に記載の放送コミュニケーションシステム。
【請求項８】
前記番組情報は文字データを含み、
番組ＩＤと、前記文字データと、当該文字データを表示する表示時刻を示す表示時刻情報とを対応付けて記憶する文字データサーバを備え、
前記コンテンツ記憶手段は、
端末ＩＤ、語句、およびコンテンツをそれぞれ対応付けて記憶し、
前記配信サーバは、
受信した番組ＩＤに基づいて、文字データおよび表示時刻情報を前記文字データサーバから取得する文字データ取得手段と、
前記取得された表示時刻情報に従って、前記取得した文字データから語句を抽出する抽出手段と、
を備え、
前記コンテンツ取得送信手段は、
前記端末照会手段による照会の結果、前記第１の端末から受信した機器ＩＤおよび端末ＩＤが前記端末情報サーバで照会できた場合に、抽出された語句を前記抽出手段から取得すると、前記抽出された語句と、前記第１の端末から受信した端末ＩＤとに基づいて、前記コンテンツ記憶手段からコンテンツを取得し、当該取得したコンテンツを前記第１の端末に送信することを特徴とする請求項６または７に記載の放送コミュニケーションシステム。
【請求項９】
インターネット上で共有する記事データと、当該記事データを送信したユーザのユーザＩＤとを記憶する共有記事サーバを備え、
前記第３の送信手段は、
前記配信サーバのコンテンツ記憶手段に登録するコンテンツ、番組ＩＤ、自己の端末ＩＤ、第１の端末の端末ＩＤとともに、前記記事データを送信するユーザのユーザＩＤを送信し、
前記配信サーバは、
前記第２の端末から受信したユーザＩＤおよび第２の端末の端末ＩＤを対応付けて記憶するユーザ情報記憶手段と、
前記抽出された語句に基づいて、記事データとおよびユーザＩＤを前記共有記事サーバから、取得する記事データ取得手段と、
を備え、
前記コンテンツ取得送信手段は、
前記取得したコンテンツを送信するとともに、前記取得したユーザＩＤに基づいて前記
ユーザ情報記憶手段から取得した第２の端末の端末ＩＤを前記第１の端末に送信し、
前記第１の端末は、
受信した第２の端末の端末ＩＤに基づいて、当該第２の端末と通信を行うことを特徴とする請求項８に記載の放送コミュニケーションシステム。
【請求項１０】
前記番組データおよび前記番組情報を受信する第２の受信機を備え、
前記第２の受信機は、
受信した番組データが再生されると、再生された番組データの番組ＩＤと、自己の機器ＩＤとを前記第２の端末に送信する第４の送信手段を備え、
前記第２の端末は、
受信した番組ＩＤと第２の端末の端末ＩＤとを前記配信サーバに送信する第５の送信手段を備え、
前記許可照会手段は、
前記第２の端末および第１の端末それぞれから受信した番組ＩＤが一致する場合に、受信した第２の端末の端末ＩＤおよび受信した第１の端末ＩＤについて前記許可情報サーバに照会し、
前記端末照会手段は、
前記第１の端末から受信した機器ＩＤおよび端末ＩＤについて前記端末情報サーバに照会するとともに、前記第２の端末から受信した機器ＩＤおよび端末ＩＤとについて前記端末情報サーバに照会し、
前記照会の結果、前記受信した第２の端末の端末ＩＤおよび前記受信した第１の端末の端末ＩＤが前記許可情報サーバで照会でき、前記第１の端末から受信した機器ＩＤおよび端末ＩＤが前記端末情報サーバで照会でき、かつ、前記第２の端末から受信した機器ＩＤおよび端末ＩＤが前記端末情報サーバで照会できた場合に、前記第２の端末に前記第１の端末の端末ＩＤを送信、または、前記第１の端末に前記第２の端末の端末ＩＤを送信する第６送信手段と、
を備え、
受信した前記第１の端末の端末ＩＤ、または、受信した前記第２の端末の端末ＩＤに基づいて、前記第１の端末と前記第２の端末とが通信を行うことを特徴とする請求項６から９のいずれかに記載の方法コミュ二ケーションシステム。
【請求項１１】
前記番組情報は、コンテンツ配信要求を含み、
前記第１の送信手段は、
受信した番組データが再生されると、再生された番組データの番組ＩＤと、自己の機器ＩＤとともに、前記コンテンツ配信要求を前記第１の端末に送信し、
前記第１の端末は、
コンテンツを受信すると、受信したコンテンツ配信要求に応じて、他の端末にコンテンツを配信すること特徴とする請求項６から１０のいずれかに記載の放送コミュニケーションシステム。
【請求項１２】
番組データと、当該番組データの番組ＩＤ、および当該番組データの時間情報を少なくとも含む番組情報とを受信する第１の受信機と、前記第１の受信機のユーザが使用する第１の端末と、前記番組データと前記番組情報とを受信する第２の受信機と、前記第２の受信機のユーザが使用する第２の端末と、インターネット上で共有する記事データを記憶する共有記事サーバと、前記共有記事サーバの記事データを配信する配信サーバと、を備える放送コミュニケーションシステムにおける放送コミュニケーション方法であって、
前記第１の受信機が、受信した番組データが再生されると、再生された番組データの番組ＩＤを前記第１の端末に送信する第１のステップと、
前記第１の端末が、当該第１の端末のユーザが入力した記事データと、当該ユーザのユーザＩＤとを前記共有記事サーバに送信する第２のステップと、
前記共有記事サーバが、受信した記事データと、当該受信した記事データの時間情報と、受信したユーザＩＤとをそれぞれ対応つけて共有記事記憶手段に記憶する第３のステップと、
前記第１の端末が、受信した番組ＩＤと、自己の端末ＩＤとを前記配信サーバに送信する第４のステップと、
前記配信サーバが、前記第１の端末から受信した番組ＩＤ、および第１の端末の端末ＩＤを対応付けて記事投稿端末記憶手段に記憶する第５のステップと、
前記第２の受信機が、受信した番組データが再生されると、再生された番組データの番組ＩＤおよび時間情報を前記第２の端末に送信する第６のステップと、
前記第２の端末が、受信した番組ＩＤおよび時間情報、ならびに自己の端末ＩＤを前記配信サーバに送信する第７のステップと、
前記配信サーバが、前記第２の端末から受信した第２の端末の端末ＩＤおよび番組ＩＤに基づいて、あらかじめ登録され、前記第１の端末のユーザのユーザＩＤと、当該第１の端末の端末ＩＤと、前記第２の端末の端末ＩＤとがそれぞれ対応付けて記憶される対応関係記憶手段、および前記記事投稿端末記憶手段からユーザＩＤを取得する第８のステップと、
前記配信サーバが、前記取得したユーザＩＤと、受信した時間情報とに基づいて、前記共有記事サーバから記事データを取得し、当該取得した記事データを前記第２の端末に送信する第９のステップと、
前記第２の端末が、受信した記事データを表示する第１０のステップと、
を含むことを特徴とする放送コミュニケーション方法。
【発明の詳細な説明】
【技術分野】
【０００１】
本発明は、デジタル放送に関する、ユーザ間のコミュニケーションを支援する放送コミュニケーションシステムおよび方法に関し、特に、デジタル放送において配信された番組に対する、ユーザ間のコミュ二ケーションを支援する放送コミュニケーションシステムおよび方法に関する。
【背景技術】
【０００２】
近年、テレビ放送はアナログ放送からデジタル放送に移行しつつある。デジタル放送においては、従来の番組放送に加え、テレビジョン受像機等は文字情報等の種々の情報を受信することができる。この文字情報等の種々の情報は、番組放送とともに放送波を通じてテレビジョン受像機等が受信することもできるし、通信ネットワークを通じて受信することもできる。そして、この文字情報等の種々の情報を利用したシステムが提案されている。例えば、Ｗｅｂサーバへのアクセス情報を番組放送とともに受信したテレビジョン受像機が、受信したアクセス情報を近傍に存在する携帯電話機に送信することにより、番組と連動するコンテンツを、受信したアクセス情報により取得し、表示するコンテンツ提供システムが提案されている（例えば、特許文献１参照。）。
【先行技術文献】
【特許文献】
【０００３】
【特許文献１】特開２００４−２６０５７３号公報
【発明の概要】
【発明が解決しようとする課題】
【０００４】
ところで、近年、番組放送時のインターネット利用が増加している。例えば、ＴＷＩＴＴＥＲ（商標）やその他掲示板、ブログ等のソーシャルメディアにおいて、番組の放送時に、番組に関する様々な情報が口コミとして発信され、ユーザ同士の活発なコミュニケーションが行われている。このような、ユーザ間の番組に対する口コミは、ユーザの購買行動を活発化させたりする効果がある。
【０００５】
しかしながら、特許文献１に記載のシステムでは、番組に対してユーザから発信された口コミを、番組放送時に、携帯電話に表示することはできないため、携帯電話においてユーザ間のコミュニケーションを実現することはできず、口コミによる効果も実現することはできない。
【０００６】
また、先に番組を視聴したユーザ、例えば、リアルタイムで番組を視聴したユーザや録画した番組を既に視聴したユーザがソーシャルメディアに投稿した口コミを、後から録画した番組を視聴したユーザが、閲覧することは難しい。そのため、同一番組を視聴したユーザであっても、視聴する時間に断絶がある場合には、ソーシャルメディアによるユーザ間のコミュニケーションを実現することはできず、口コミによる効果も実現することはできない。
【０００７】
そこで、本発明は、上記の課題に鑑みてなされたものであり、デジタル放送において配信された番組について、リアルタイムで放送される番組であっても、録画された番組であっても、ユーザが番組を視聴する際に、他のユーザが番組に対して発信した情報がユーザに提供されることより、ユーザ間のコミュニケーションを支援する放送コミュニケーションシステムを提供することを目的とする。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）  本発明は、番組データと、当該番組データの番組ＩＤ、および当該番組データの時間情報を少なくとも含む番組情報とを受信する第１の受信機（例えば、図１の投稿側受信機２００に相当）と、前記第１の受信機のユーザが使用する第１の端末（例えば、図１の投稿端末４００に相当）と、前記番組データと前記番組情報とを受信する第２の受信機（例えば、図１の閲覧側受信機３００に相当）と、前記第２の受信機のユーザが使用する第２の端末（例えば、図１の閲覧端末５００に相当）と、インターネット上で共有する記事データを記憶する共有記事サーバ（例えば、図１の共有記事サーバ７００に相当）と、前記共有記事サーバの記事データを配信する配信サーバ（例えば、図１の配信サーバ６００に相当）と、を備える放送コミュニケーションシステムであって、前記第１の受信機は、受信した番組データが再生されると、再生された番組データの番組ＩＤを前記第１の端末に送信する第１の送信手段を備え、前記第１の端末は、受信した番組ＩＤと、自己の端末ＩＤとを前記配信サーバに送信する第２の送信手段と、前記第１の端末のユーザが入力した記事データと、当該ユーザのユーザＩＤとを前記共有記事サーバに送信する第３の送信手段と、を備え、前記共有記事サーバは、受信した記事データと、当該受信した記事データの時間情報と、受信したユーザＩＤとをそれぞれ対応付けて記憶する共有記事記憶手段を備え、前記第２の受信機は、受信した番組データが再生されると、再生された番組データの番組ＩＤおよび時間情報を前記第２の端末に送信する第４の送信手段を備え、前記第２の端末は、受信した番組ＩＤおよび時間情報、ならびに自己の端末ＩＤを前記配信サーバに送信する第５の送信手段と、受信した記事データを表示する表示手段と、を備え、前記配信サーバは、あらかじめ登録され、前記第１の端末のユーザのユーザＩＤと、当該第１の端末の端末ＩＤと、前記第２の端末の端末ＩＤとがそれぞれ対応付けて記憶される対応関係記憶手段（例えば、図２の対応関係記憶部６０１に相当）と、前記第１の端末から受信した番組ＩＤ、および第１の端末の端末ＩＤが対応付けて記憶される記事投稿端末記憶手段（例えば、図２の記事投稿端末記憶部６０２に相当）と、前記第２の端末から受信した第２の端末の端末ＩＤおよび番組ＩＤに基づいて、前記対応関係記憶手段および前記記事投稿端末記憶手段からユーザＩＤを取得するユーザＩＤ取得手段（例えば、図２のユーザＩＤ取得部６０３に相当）と、前記取得されたユーザＩＤと、受信した時間情報とに基づいて、前記共有記事サーバから記事データを取得し、当該取得した記事データを前記第２の端末に送信する記事取得送信手段（例えば、図２の記事取得送信部６０４に相当）と、を備えることを特徴とする放送コミュニケーションシステムを提案している。
【００１０】
この発明によれば、第１の受信機の第１の送信手段は、受信した番組データが再生されると、再生された番組データの番組ＩＤを第１の端末に送信する。第１の端末の第２の送信手段は、受信した番組ＩＤと、自己の端末ＩＤとを配信サーバに送信する。第１の端末の第３の送信手段は、第１の端末のユーザが入力した記事データと、ユーザのユーザＩＤとを共有記事サーバに送信する。共有記事サーバの共有記事記憶手段は、受信した記事データと、受信した記事データの時間情報と、受信したユーザＩＤとをそれぞれ対応つけて記憶する。第２の受信機の第４の送信手段は、受信した番組データが再生されると、再生された番組データの番組ＩＤおよび時間情報を第２の端末に送信する。第２の端末の第５の送信手段は，受信した番組ＩＤおよび時間情報、ならびに自己の端末ＩＤを配信サーバに送信する。第２の端末の表示手段は、受信した記事データを表示する。配信サーバの対応関係記憶手段は、あらかじめ登録され、第１の端末のユーザのユーザＩＤと、第１の端末の端末ＩＤと、第２の端末の端末ＩＤとがそれぞれ対応付けて記憶される。配信サーバの記事投稿端末記憶手段は、第１の端末から受信した番組ＩＤ、および第１の端末の端末ＩＤが対応付けて記憶される。配信サーバのユーザＩＤ取得手段は、第２の端末から受信した第２の端末の端末ＩＤおよび番組ＩＤに基づいて、対応関係記憶手段および記事投稿端末記憶手段からユーザＩＤを取得する。配信サーバの記事取得送信手段は、取得されたユーザＩＤと、受信した時間情報とに基づいて、共有記事サーバから記事データを取得し、取得した記事データを第２の端末に送信する。このため、リアルタイムで放送された番組であっても、録画された番組であっても、ユーザが第２の受信機で番組を視聴する際に、その番組に関して、他のユーザがインターネット上に発信した記事データをユーザの第２の端末に表示でき、ユーザ間のコミュニケーションを支援することができる。したがって、録画された番組の視聴時には、あたかもリアルタイムに番組を視聴しているかのようなソーシャルメディア体験をユーザに提供することができる。
【００１１】
（２）  本発明は、（１）の放送コミュニケーションシステムについて、前記対応関係記憶手段に対応付けて記憶される前記第１の端末の端末ＩＤと、前記第２の端末の端末ＩＤとは、同一種類の第１の端末および第２の端末の端末ＩＤであって、前記第２の受信機は、前記再生された番組データの番組ＩＤと、自己の機器ＩＤとを前記配信サーバに送信する第６の送信手段と、受信した端末ＩＤに基づいて第１の端末を選択し、前記再生された番組データの番組ＩＤおよび時間情報を当該選択された第２の端末に送信する第７の送信手段と、を備え、配信サーバは、受信機の機器ＩＤと、当該受信機のユーザが使用する端末の端末ＩＤとを対応付けて記憶する端末情報記憶手段（例えば、後述する端末情報記憶部）と、受信した機器ＩＤに基づいて、前記端末情報記憶手段から端末ＩＤを取得し、当該取得した端末ＩＤを前記第２の受信機に送信する端末情報取得送信手段（例えば、後述する端末情報取得送信部）と、を備えることを特徴とする放送コミュニケーションシステムを提案している。
【００１２】
この発明によれば、配信サーバの対応関係記憶手段に対応付けて記憶される前記第１の端末の端末ＩＤと、第２の端末の端末ＩＤとは、同一種類の第１の端末および第２の端末の端末ＩＤである。第２の受信機の第６の送信手段は、再生された番組データの番組ＩＤと、自己の機器ＩＤとを配信サーバに送信する。第２の受信機の第７の送信手段は、受信した端末ＩＤに基づいて第１の端末を選択し、再生された番組データの番組ＩＤおよび時間情報を選択された第２の端末に送信する。配信サーバの端末情報記憶手段は、受信機の機器ＩＤと、受信機のユーザが使用する端末の端末ＩＤとを対応付けて記憶する。配信サーバの端末情報取得送信手段は、受信した機器ＩＤに基づいて、端末情報記憶手段から端末ＩＤを取得し、取得した端末ＩＤを第２の受信機に送信する。したがって、第１の端末と同一種類の第２の端末に、第１の端末から共有記事サーバに送信された記事データを表示することができる。
【００１３】
（３）  本発明は、（１）または（２）の放送コミュニケーションシステムについて、前記第１の送信手段は、前記再生された番組データの番組ＩＤとともに、当該番組データの時間情報を前記第１の端末に送信し、前記第２の送信手段は、前記受信した番組ＩＤと前記自己の端末ＩＤとともに、受信した時間情報と前記第１の端末のユーザのユーザＩＤとを前記配信サーバに送信し、前記配信サーバは、前記第１の端末から受信した時間情報に従い、前記第１の端末から受信したユーザＩＤに基づいて前記共有記事サーバから記事データを取得する共有記事取得手段（例えば、後述する共有記事取得部）と、前記受信したユーザＩＤ、前記第１の端末から受信した番組ＩＤ、および共有記事取得手段において取得した記事データをそれぞれ対応付けて記憶する番組記事記憶手段（例えば、後述する番組記事取得部）と、を備え、前記記事取得送信手段は、前記取得されたユーザＩＤと、前記第２の端末から取得した番組ＩＤとに基づいて、前記番組記事記憶手段から記事データを取得し、当該取得した記事データを前記第２の端末に送信することを特徴とする放送コミュニケーションシステムを提案している。
【００１４】
この発明によれば、第１の受信機の第１の送信手段は、再生された番組データの番組ＩＤとともに、番組データの時間情報を第１の端末に送信する。第１の端末の第２の送信手段は、受信した番組ＩＤと自己の端末ＩＤとともに、受信した時間情報と第１の端末のユーザのユーザＩＤとを配信サーバに送信する。配信サーバの共有記事取得手段は、第１の端末から受信した時間情報に従い、第１の端末から受信したユーザＩＤに基づいて共有記事サーバから記事データを取得する。配信サーバの番組記事記憶手段は、受信したユーザＩＤ、第１の端末から受信した番組ＩＤ、および共有記事取得手段において取得した記事データをそれぞれ対応付けて記憶する。配信サーバの記事取得送信手段は、取得されたユーザＩＤと、第２の端末から取得した番組ＩＤとに基づいて、番組記事記憶手段から記事データを取得し、取得した記事データを第２の端末に送信する。したがって、第１の受信機において番組が再生されている間に、第１の端末から投稿された記事データを、配信サーバにあらかじめ記憶しておくことができる。それにより、第１の受信機に録画した番組を視聴した際に、第１の端末のユーザがソーシャルメディアに投稿した記事を、同一番組を録画により視聴するユーザの第２の端末に表示することが可能となる。
【００１５】
（４）  本発明は、（１）または（２）の放送コミュニケーションシステムについて、前記時間情報は、前記番組データの放送開始時刻および放送終了時刻を含み、前記記事取得送信手段は、受信した時間情報の放送開始時刻から放送終了時刻の間、前記取得したユーザＩＤに基づいて、逐次的に前記共有記事サーバから記事データを取得し、前記取得した記事データを前記第２の端末に送信することを特徴とする放送コミュニケーションシステムを提案している。
【００１６】
この発明によれば、時間情報は、番組データの放送開始時刻および放送終了時刻を含む。配信サーバの記事取得送信手段は、受信した時間情報の放送開始時刻から放送終了時刻の間、取得したユーザＩＤに基づいて、逐次的に共有記事サーバから記事データを取得し、取得した記事データを第２の端末に送信する。このため、ユーザが第２の受信機で番組をリアルタイムに視聴する際に、その番組を視聴している他のユーザが、その番組に関して、リアルタイムにインターネット上に発信している記事データを、ユーザの第２の端末に表示することができる。したがって、リアルタイムで放送された番組の視聴時に、ユーザ間のコミュニケーションを促進することができる。
【００１７】
（５）  本発明は、番組データ、および当該番組データの番組ＩＤを少なくとも含む番組情報を受信する第１の受信機（例えば、図７の閲覧側受信機３２０に相当）と、前記第１の受信機のユーザが使用する第１の端末（例えば、図７の閲覧端末５２０に相当）と、コンテンツの配信を行う配信サーバ（例えば、図７の配信サーバ６２０に相当）と、受信機の機器ＩＤと、当該受信機のユーザが使用する端末の端末ＩＤとを対応付けて記憶する端末情報サーバ（例えば、図７の端末情報サーバ８００に相当）と、を備える放送コミュニケーションシステムであって、前記第１の受信機は、受信した番組データが再生されると、再生された番組データの番組ＩＤと、自己の機器ＩＤとを前記第１の端末に送信する第１の送信手段を備え、前記第１の端末は、受信した番組ＩＤおよび機器ＩＤ、ならびに自己の端末ＩＤを前記配信サーバに送信する第２の送信手段と、受信したコンテンツを表示する表示手段と、を備え、前記配信サーバは、番組ＩＤおよびコンテンツを対応付けてあらかじめ記憶するコンテンツ記憶手段（例えば、図８のコンテンツ記憶部６２３に相当）と、受信した機器ＩＤおよび端末ＩＤについて前記端末情報サーバに照会する端末照会手段（例えば、図８の端末照会部６２１に相当）と、前記照会の結果、前記受信した機器ＩＤおよび端末ＩＤが前記端末情報サーバで照会できた場合に、受信した番組ＩＤに基づいて、前記配信サーバからコンテンツを取得し、当該取得したコンテンツを前記第１の端末に送信するコンテンツ取得送信手段（例えば、図８のコンテンツ取得送信部６２２に相当）と、を備えることを特徴とする放送コミュニケーションシステムを提案している。
【００１８】
この発明によれば、第１の受信機の第１の送信手段は、受信した番組データが再生されると、再生された番組データの番組ＩＤと、自己の機器ＩＤとを第１の端末に送信する。第１の端末の第２の送信手段は、受信した番組ＩＤおよび機器ＩＤ、ならびに自己の端末ＩＤを配信サーバに送信する。第１の端末の表示手段は、受信したコンテンツを表示する。配信サーバのコンテンツ記憶手段は、番組ＩＤおよびコンテンツを対応付けてあらかじめ記憶する。配信サーバの端末照会手段は、受信した機器ＩＤおよび端末ＩＤについて端末情報サーバに照会する。配信サーバのコンテンツ取得送信手段は、照会の結果、受信した機器ＩＤおよび端末ＩＤが端末情報サーバで照会できた場合に、受信した番組ＩＤに基づいて、配信サーバからコンテンツを取得し、取得したコンテンツを第１の端末に送信する。したがって、あらかじめ登録された番組に関するコンテンツを、第１の端末に表示することができる。
【００１９】
（６）  本発明は、（５）の放送コミュニケーションシステムについて、前記コンテンツ記憶手段にコンテンツを登録する第２の端末（例えば、図９の登録端末４２０に相当）と、前記登録するユーザの使用する端末の端末ＩＤと、前記登録するユーザが、前記登録するコンテンツの配信を許可するユーザの使用する端末の端末ＩＤとを対応付けて記憶する許可情報サーバ（例えば、図９の許可情報サーバ９００に相当）と、を備え、前記第２の端末は、ユーザが指定したコンテンツ、番組ＩＤ、および第１の端末の端末ＩＤ、ならびに自己の端末ＩＤを前記配信サーバに送信する第３の送信手段を備え、前記配信サーバは、前記第２の端末から受信した第２の端末の端末ＩＤ、および第１の端末の端末ＩＤについて前記許可情報サーバに照会する許可照会手段（例えば、後述する許可照会部に相当）を備え、前記コンテンツ記憶手段は、前記照会の結果、前記第２の端末から受信した第２の端末の端末ＩＤおよび前記第１の端末の端末ＩＤが前記許可情報サーバで照会できた場合に、前記第２の端末から受信した番組ＩＤ、第２の端末の端末ＩＤ、およびコンテンツを記憶することを特徴とする放送コミュニケーションシステムを提案している。
【００２０】
この発明によれば、許可情報サーバは、コンテンツ記憶手段にコンテンツを登録するユーザの使用する端末の端末ＩＤと、登録するユーザが、登録するコンテンツの配信を許可するユーザの使用する端末の端末ＩＤとを対応付けて記憶する。第２の端末の第３の送信手段は、ユーザが指定したコンテンツ、番組ＩＤ、および第１の端末の端末ＩＤ、ならびに自己の端末ＩＤを配信サーバに送信する。配信サーバの許可照会手段は、第２の端末から受信した第２の端末の端末ＩＤ、および第１の端末の端末ＩＤについて許可情報サーバに照会する。配信サーバのコンテンツ記憶手段は、照会の結果、第２の端末から受信した第２の端末の端末ＩＤおよび第１の端末の端末ＩＤが許可情報サーバで照会できた場合に、第２の端末から受信した番組ＩＤ、第２の端末の端末ＩＤ、およびコンテンツを記憶する。したがって、第１の端末に表示されるコンテンツを、第１の端末のユーザがあらかじめ許可した第２の端末のユーザが登録したコンテンツに限ることができる。
【００２１】
（７）  本発明は、（６）の放送コミュニケーションシステムについて、前記端末ＩＤは、端末の種類を識別する種類ＩＤを含み、前記コンテンツ記憶手段は、番組ＩＤ、コンテンツ、および当該コンテンツを表示する端末の種類を識別する種類ＩＤをそれぞれ対応付けて記憶し、前記コンテンツ取得送信手段は、前記端末照会手段による照会の結果、前記第１の端末から受信した機器ＩＤおよび端末ＩＤが前記端末情報サーバで照会できた場合に、前記第１の端末から受信した番組ＩＤおよび端末ＩＤに含まれる種類ＩＤに基づいて、前記配信サーバからコンテンツを取得し、当該取得したコンテンツを前記第１の端末に送信することを特徴とする放送コミュニケーションシステムを提案している。
【００２２】
この発明によれば、端末ＩＤは、端末の種類を識別する種類ＩＤを含む。配信サーバのコンテンツ記憶手段は、番組ＩＤ、コンテンツ、およびコンテンツを表示する端末の種類を識別する種類ＩＤをそれぞれ対応付けて記憶する。配信サーバのコンテンツ取得送信手段は、端末照会手段による照会の結果、第１の端末から受信した機器ＩＤおよび端末ＩＤが端末情報サーバで照会できた場合に、第１の端末から受信した番組ＩＤおよび端末ＩＤに含まれる種類ＩＤに基づいて、配信サーバからコンテンツを取得し、取得したコンテンツを第１の端末に送信する。したがって、第１の端末に、端末の種類に適したコンテンツを表示させることができる。
【００２３】
（８）  本発明は、（６）または（７）の放送コミュニケーションシステムについて、前記番組情報は文字データを含み、番組ＩＤと、前記文字データと、当該文字データを表示する表示日時を示す表示時刻情報とを対応付けて記憶する文字データサーバ（例えば、図１０の文字データサーバ１０００に相当）を備え、前記コンテンツ記憶手段は、端末ＩＤ、語句、およびコンテンツをそれぞれ対応付けて記憶し、前記配信サーバは、受信した番組ＩＤに基づいて、文字データおよび表示時刻情報を前記文字データサーバから取得する文字データ取得手段（例えば、後述する文字データ取得部に相当）と、前記取得された表示時刻情報に従って、前記取得した文字データから語句を抽出する抽出手段（例えば、後述する抽出部に相当）と、を備え、前記コンテンツ取得送信手段は、前記端末照会手段による照会の結果、前記第１の端末から受信した機器ＩＤおよび端末ＩＤが前記端末情報サーバで照会できた場合に、抽出された語句を前記抽出手段から取得すると、前記抽出された語句と、前記第１の端末から受信した端末ＩＤとに基づいて、前記コンテンツ記憶手段からコンテンツを取得し、当該取得したコンテンツを前記第１の端末に送信することを特徴とする放送コミュニケーションシステムを提案している。
【００２４】
この発明によれば、文字データサーバは、番組ＩＤと、番組情報に含まれる文字データと、文字データを表示する表示日時を示す表示時刻情報とを対応付けて記憶する。配信サーバのコンテンツ記憶手段は、端末ＩＤ、語句、およびコンテンツをそれぞれ対応付けて記憶する。配信サーバの文字データ取得手段は、受信した番組ＩＤに基づいて、文字データおよび表示時刻情報を文字データサーバから取得する。配信サーバの抽出手段は、取得された表示時刻情報に従って、取得した文字データから語句を抽出する。配信サーバのコンテンツ取得送信手段は、端末照会手段による照会の結果、第１の端末から受信した機器ＩＤおよび端末ＩＤが端末情報サーバで照会できた場合に、抽出された語句を抽出手段から取得すると、抽出された語句と、第１の端末から受信した端末ＩＤとに基づいて、コンテンツ記憶手段からコンテンツを取得し、取得したコンテンツを第１の端末に送信する。したがって、番組データを再生している第１の受信機に文字データが表示される際に、第１の端末に文字データに関連するコンテンツを表示することができる。
【００２５】
（９）  本発明は、（８）の放送コミュニケーションシステムについて、インターネット上で共有する記事データと、当該記事データを送信したユーザのユーザＩＤとを記憶する共有記事サーバ（例えば、図１１の共有記事サーバ１１００に相当）を備え、前記第２の端末の第３の送信手段は、前記配信サーバのコンテンツ記憶手段に登録するコンテンツ、番組ＩＤ、自己の端末ＩＤ、第１の端末の端末ＩＤとともに、前記記事データを送信するユーザのユーザＩＤを送信し、前記配信サーバは、前記第２の端末から受信したユーザＩＤおよび第２の端末の端末ＩＤを対応付けて記憶するユーザ情報記憶手段（例えば、後述するユーザ情報記憶部に相当）と、前記抽出された語句に基づいて、記事データとおよびユーザＩＤを前記共有記事サーバから、取得する記事データ取得手段（例えば、後述する記事データ取得部に相当）と、を備え、前記コンテンツ取得送信手段は、前記取得したコンテンツを送信するとともに、前記取得したユーザＩＤに基づいて前記ユーザ情報記憶手段から取得した第２の端末の端末ＩＤを前記第１の端末に送信し、前記第１の端末は、受信した第２の端末の端末ＩＤに基づいて、当該第２の端末と通信を行うことを特徴とする放送コミュニケーションシステムを提案している。
【００２６】
この発明によれば、共有記事サーバは、インターネット上で共有する記事データと、記事データを送信したユーザのユーザＩＤとを記憶する。第２の端末の第３の送信手段は、配信サーバのコンテンツ記憶手段に登録するコンテンツ、番組ＩＤ、自己の端末ＩＤ、第１の端末の端末ＩＤとともに、記事データを送信するユーザのユーザＩＤを送信する。配信サーバのユーザ情報記憶手段は、第２の端末から受信したユーザＩＤおよび第２の端末の端末ＩＤを対応付けて記憶する。配信サーバの記事データ取得手段は、抽出された語句に基づいて、記事データとおよびユーザＩＤを共有記事サーバから、取得する。配信サーバのコンテンツ取得送信手段は、取得したコンテンツを送信するとともに、取得したユーザＩＤに基づいてユーザ情報記憶手段から取得した第２の端末の端末ＩＤを第１の端末に送信する。第１の端末は、受信した第２の端末の端末ＩＤに基づいて、第２の端末と通信を行う。したがって、第１の端末のユーザは、端末に表示された記事データを投稿した第２の端末のユーザとチャットといったコミュニケーション通信を行うことができる。
【００２７】
（１０）  本発明は、（６）から（９）の放送コミュニケーションシステムについて、前記番組データおよび前記番組情報を受信する第２の受信機を備え、前記第２の受信機は、受信した番組データが再生されると、再生された番組データの番組ＩＤと、自己の機器ＩＤとを前記第２の端末に送信する第４の送信手段を備え、前記第２の端末は、受信した番組ＩＤと第２の端末の端末ＩＤとを前記配信サーバに送信する第５の送信手段を備え、前記許可照会手段は、前記第２の端末および第１の端末それぞれから受信した番組ＩＤが一致する場合に、受信した第２の端末の端末ＩＤおよび受信した第１の端末ＩＤについて前記許可情報サーバに照会し、前記端末照会手段は、前記第１の端末から受信した機器ＩＤおよび端末ＩＤについて前記端末情報サーバに照会するとともに、前記第２の端末から受信した機器ＩＤおよび端末ＩＤとについて前記端末情報サーバに照会し、前記照会の結果、前記受信した第２の端末の端末ＩＤおよび前記受信した第１の端末の端末ＩＤが前記許可情報サーバで照会でき、前記第１の端末から受信した機器ＩＤおよび端末ＩＤが前記端末情報サーバで照会でき、かつ、前記第２の端末から受信した機器ＩＤおよび端末ＩＤが前記端末情報サーバで照会できた場合に、前記第２の端末に前記第１の端末の端末ＩＤを送信、または、前記第１の端末に前記第２の端末の端末ＩＤを送信する第６送信手段（例えば、端末ＩＤ送信部に相当）と、を備え、受信した前記第１の端末の端末ＩＤ、または、受信した前記第２の端末の端末ＩＤに基づいて、前記第１の端末と前記第２の端末とが通信を行うことを特徴とする放送コミュ二ケーションシステムを提案している。
【００２８】
この発明によれば、第２の受信機の第４の送信手段は、受信した番組データが再生されると、再生された番組データの番組ＩＤと、自己の機器ＩＤとを前記第２の端末に送信する。第２の端末の第５の送信手段は、受信した番組ＩＤと第２の端末の端末ＩＤとを配信サーバに送信する。配信サーバの許可照会手段は、第２の端末および第１の端末それぞれから受信した番組ＩＤが一致する場合に、受信した第２の端末の端末ＩＤおよび受信した第１の端末ＩＤについて許可情報サーバに照会する。配信サーバの端末照会手段は、第１の端末から受信した機器ＩＤおよび端末ＩＤについて端末情報サーバに照会するとともに、第２の端末から受信した機器ＩＤおよび端末ＩＤとについて端末情報サーバに照会する。配信サーバの第６送信手段は、照会の結果、受信した第２の端末の端末ＩＤおよび受信した第１の端末の端末ＩＤが許可情報サーバで照会でき、第１の端末から受信した機器ＩＤおよび端末ＩＤが端末情報サーバで照会でき、かつ、第２の端末から受信した機器ＩＤおよび端末ＩＤが端末情報サーバで照会できた場合に、第２の端末に第１の端末の端末ＩＤを送信、または、第１の端末に第２の端末の端末ＩＤを送信する。記第１の端末と前記第２の端末とは、受信した第１の端末の端末ＩＤ、または、受信した第２の端末の端末ＩＤに基づいて、通信を行う。したがって、同じ番組を閲覧したユーザ同士が、端末を用いてコミュニケーションを行うことができる。
【００２９】
（１１）  本発明は、（６）から（１０）の放送コミュニケーションシステムについて、前記番組情報は、コンテンツ配信要求を含み、前記第１の送信手段は、受信した番組データが再生されると、再生された番組データの番組ＩＤと、自己の機器ＩＤとともに、前記コンテンツ配信要求を前記第１の端末に送信し、前記第１の端末は、コンテンツを受信すると、受信したコンテンツ配信要求に応じて、他の端末にコンテンツを配信すること特徴とする放送コミュニケーションシステムを提案している。
【００３０】
この発明によれば、第１の受信機の第１の送信手段は、受信した番組データが再生されると、再生された番組データの番組ＩＤと、自己の機器ＩＤとともに、番組情報に含まれるコンテンツ配信要求を第１の端末に送信する。第１の端末は、コンテンツを受信すると、受信したコンテンツ配信要求に応じて、他の端末にコンテンツを配信する。したがって、第１の端末のユーザに、端末に表示されているコンテンツを他のユーザに配信するように促すことができる。
【００３１】
（１２）  本発明は、番組データと、当該番組データの番組ＩＤ、および当該番組データの時間情報を少なくとも含む番組情報とを受信する第１の受信機と、前記第１の受信機のユーザが使用する第１の端末と、前記番組データと前記番組情報とを受信する第２の受信機と、前記第２の受信機のユーザが使用する第２の端末と、インターネット上で共有する記事データを記憶する共有記事サーバと、前記共有記事サーバの記事データを配信する配信サーバと、を備える放送コミュニケーションシステムにおける放送コミュニケーション方法であって、前記第１の受信機が、受信した番組データが再生されると、再生された番組データの番組ＩＤを前記第１の端末に送信する第１のステップ（例えば、図３のステップＳ１に相当）と、前記第１の端末が、当該第１の端末のユーザが入力した記事データと、当該ユーザのユーザＩＤとを前記共有記事サーバに送信する第２のステップ（例えば、図３のステップＳ２に相当）と、前記共有記事サーバが、受信した記事データと、当該受信した記事データの時間情報と、受信したユーザＩＤとをそれぞれ対応つけて共有記事記憶手段に記憶する第３のステップ（例えば、図３のステップＳ３に相当）と、前記第１の端末が、受信した番組ＩＤと、自己の端末ＩＤとを前記配信サーバに送信する第４のステップ（例えば、図３のステップＳ５に相当）と、前記配信サーバが、前記第１の端末から受信した番組ＩＤ、および第１の端末の端末ＩＤを対応付けて記事投稿端末記憶手段に記憶する第５のステップ（例えば、図３のステップＳ６に相当）と、前記第２の受信機が、受信した番組データが再生されると、再生された番組データの番組ＩＤおよび時間情報を前記第２の端末に送信する第６のステップ（例えば、図４のステップＳ１１に相当）と、前記第２の端末が、受信した番組ＩＤおよび時間情報、ならびに自己の端末ＩＤを前記配信サーバに送信する第７のステップ（例えば、図４のステップＳ１２に相当）と、前記配信サーバが、前記第２の端末から受信した第２の端末の端末ＩＤおよび番組ＩＤに基づいて、あらかじめ登録され、前記第１の端末のユーザのユーザＩＤと、当該第１の端末の端末ＩＤと、前記第２の端末の端末ＩＤとがそれぞれ対応付けて記憶される対応関係記憶手段、および前記記事投稿端末記憶手段からユーザＩＤを取得する第８のステップ（例えば、図４のステップＳ１３に相当）と、前記配信サーバが、前記取得したユーザＩＤと、受信した時間情報とに基づいて、前記共有記事サーバから記事データを取得し、当該取得した記事データを前記第２の端末に送信する第９のステップ（例えば、図４のステップＳ１４、Ｓ１５に相当）と、前記第２の端末が、受信した記事データを表示する第１０のステップ（例えば、図４のステップＳ１６に相当）と、を含むことを特徴とする放送コミュニケーション方法を提案している。
【００３２】
この発明によれば、まず、第１のステップにおいて、第１の受信機が、受信した番組データが再生されると、再生された番組データの番組ＩＤを第１の端末に送信する。次に、第２のステップにおいて、第１の端末が、第１の端末のユーザが入力した記事データと、ユーザのユーザＩＤとを共有記事サーバに送信する。次に、第３のステップにおいて、共有記事サーバが、受信した記事データと、受信した記事データの時間情報と、受信したユーザＩＤとをそれぞれ対応つけて共有記事記憶手段に記憶する。次に、第４のステップにおいて、第１の端末が、受信した番組ＩＤと、自己の端末ＩＤとを配信サーバに送信する。次に、第５のステップにおいて、配信サーバが、第１の端末から受信した番組ＩＤ、および第１の端末の端末ＩＤを対応付けて記事投稿端末記憶手段に記憶する。次に、第６のステップにおいて、第２の受信機が、受信した番組データが再生されると、再生された番組データの番組ＩＤおよび時間情報を第２の端末に送信する。次に、第７のステップにおいて、第２の端末が、受信した番組ＩＤおよび時間情報、ならびに自己の端末ＩＤを配信サーバに送信する。次に、第８のステップにおいて、配信サーバが、第２の端末から受信した第２の端末の端末ＩＤおよび番組ＩＤに基づいて、あらかじめ登録され、第１の端末のユーザのユーザＩＤと、第１の端末の端末ＩＤと、第２の端末の端末ＩＤとがそれぞれ対応付けて記憶される対応関係記憶手段、および記事投稿端末記憶手段からユーザＩＤを取得する。次に、第９のステップにおいて、配信サーバが、取得したユーザＩＤと、受信した時間情報とに基づいて、共有記事サーバから記事データを取得し、取得した記事データを第２の端末に送信する。次に、第１０のステップにおいて、第２の端末が、受信した記事データを表示する。このため、リアルタイムで放送された番組であっても、録画された番組であっても、ユーザが第２の受信機で番組を視聴する際に、その番組に関して、他のユーザがインターネット上に発信した記事データをユーザの第２の端末に表示でき、ユーザ間のコミュニケーションを支援することができる。したがって、録画された番組の視聴時には、あたかもリアルタイムに番組を視聴しているかのようなソーシャルメディア体験をユーザに提供することができる。
【発明の効果】
【００３３】
本発明によれば、デジタル放送において配信された番組について、リアルタイムで放送される番組であっても、録画された番組であっても、ユーザが番組を視聴する際に、他のユーザが番組に対して発信した情報がユーザに提供されることより、ユーザ間のコミュニケーションを支援することができる。
【図面の簡単な説明】
【００３４】
【図１】本発明の第１の実施形態に係る放送コミュニケーションシステムの構成図である。
【図２】本発明の第１の実施形態に係る配信サーバの構成を示す機能ブロック図である。
【図３】本発明の第１の実施形態に係る放送コミュニケーション処理の投稿処理のフロー図である。
【図４】本発明の第１の実施形態に係る放送コミュニケーション処理の閲覧処理のフロー図である。
【図５】本発明の第１の実施形態における第１の変形形態の構成図を示す。
【図６】本発明の第１の実施形態における第３の変形形態の構成図を示す。
【図７】本発明の第２の実施形態に係る放送コミュニケーションシステムの構成図である。
【図８】本発明の第２の実施形態に係る配信サーバの構成を示す機能ブロック図である。
【図９】本発明の第２の実施形態における第１の変形形態の構成図である。
【図１０】本発明の第２の実施形態における第２の変形形態の構成図である。
【図１１】本発明の第２の実施形態における第３の変形形態の構成図である。
【図１２】本発明の第２の実施形態における第４の変形形態の構成図である。
【発明を実施するための形態】
【００３５】
以下、図面を用いて、本発明の実施形態について詳細に説明する。なお、第１の実施形態および第２の実施形態における構成要素は適宜、既存の構成要素等との置き換えが可能であり、また、他の既存の構成要素との組み合わせを含む様々なバリエーションが可能である。したがって、第１の実施形態および第２の実施形態の記載をもって、特許請求の範囲に記載された発明の内容を限定するものではない。
【００３６】
＜第１の実施形態＞
図１から図４を用いて、本発明の第１の実施形態について説明する。
【００３７】
＜放送コミュニケーションシステム＞
図１は、第１の実施形態に係る放送コミュニケーションシステム１の構成図である。図１に示すように、放送コミュニケーションシステム１は、放送局１００、投稿側受信機２００、投稿端末４００、閲覧側受信機３００、閲覧端末５００、配信サーバ６００、および共有記事サーバ７００を備える。
【００３８】
投稿側受信機２００と投稿端末４００、閲覧側受信機３００と閲覧端末５００はそれぞれ、例えば、イーサネット（登録商標）ワーク、Ｂｌｕｅｔｏｏｔｈ（登録商標）ネットワークやＷｉＦｉ（Ｗｉｒｅｌｅｓｓ  Ｆｉｄｅｌｉｔｙ）無線ネットワーク等の通信ネットワークで接続される。
【００３９】
なお、第１の実施形態においては、投稿端末４００および閲覧端末５００は携帯電話機とするが、投稿端末４００および閲覧端末５００は通信機能を有していれば良く、例えば、ＰＨＳ、ＰＤＡ、ＰＣ、ゲーム機等であっても良い。また、投稿側受信機２００および閲覧側受信機３００は、放送データを受信する機能を有していればよく、例えば、テレビジョン受像機、ワンセグ放送受信機器等である。
【００４０】
第１の実施形態に係る各装置の機能について、図１とともに、図２に示す第１の実施形態に係る配信サーバ６００の構成を示す機能ブロック図を用いて説明する。
【００４１】
放送局１００は、放送波を通じて、映像データおよび音声データを含む番組データを、投稿側受信機２００および閲覧側受信機３００に送信する。放送局１００は、番組データとともに、番組ＩＤや時間情報といった番組に関する番組情報を含むＥＰＧ（Electronic Program Guide）情報を、投稿側受信機２００および閲覧側受信機３００に送信する。なお、ＥＰＧ情報は、通信ネットワークを通じて投稿側受信機２００および閲覧側受信機３００に送信されてもよい。なお、ＥＰＧ情報としてではなく、番組情報だけを送信してもよい。ここで、時間情報とは、例えば、番組の開始日時および終了日時である。
【００４２】
投稿側受信機２００は、放送局１００から番組データを受信し、受信した番組データを出力する。また、投稿側受信機器２００は、番組ＩＤや番組の時間情報といった番組情報を有するＥＰＧ情報を放送局１００から受信する。投稿側受信機２００は、番組データを出力すると、出力した番組データの番組ＩＤを受信したＥＰＧ情報から抽出する。そして、投稿側受信機２００は、抽出した番組ＩＤと、自己の機器ＩＤとを投稿端末４００に送信する。機器ＩＤとは、受信機を識別するユニークなＩＤであって、ＩＰアドレス等機器固有の情報であってもよい。また、投稿側受信機２００が情報を送信する投稿端末４００は、ユーザからの指示により選択してもよいし、ユーザによりあらかじめ決定されていてもよい。
【００４３】
投稿端末４００は、後述する共有記事サーバ７００に投稿する記事データをユーザから受け付けると、受け付けた記事データと、投稿端末４００のユーザを識別するユーザＩＤを共有記事サーバ７００に送信する。なお、本実施形態において、投稿端末４００のユーザのユーザＩＤは、共有記事サーバ７００において記事データを投稿したユーザを識別するためのユーザＩＤであるとする。また、投稿端末４００は、投稿側受信機２００から番組ＩＤを受信した後、共有記事サーバ７００に記事データを送信すると、受信した番組ＩＤを配信サーバ６００に送信する。
【００４４】
共有記事サーバ７００は、ソーシャルメディアに掲載され、インターネット上で公開される記事データを記憶するサーバである。具体的には、共有記事サーバ７００は、投稿端末４００から受信した記事データおよび投稿端末４００のユーザのユーザＩＤと、記事データが投稿された日時を示す時間情報を対応付けて記憶する。
【００４５】
閲覧側受信機３００は、番組データを録画する録画部（図示せず）を備え、放送局１００から受信した番組データを録画部に録画する。そして、閲覧側受信機３００は、ユーザから再生の指示を受け付けると、録画した番組データを出力する。閲覧側受信機３００も、投稿側受信機器２００同様に、番組ＩＤや番組の時間情報といった情報を有するＥＰＧ情報を放送局１００から受信する。また、閲覧側受信機３００は、番組データを出力すると、出力した番組データの番組ＩＤを受信したＥＰＧ情報から抽出する。そして、閲覧側受信機３００は、抽出した番組ＩＤと、時間情報とを閲覧端末５００に送信する。
【００４６】
閲覧端末５００は、閲覧側受信機３００から受信した番組ＩＤおよび時間情報と、自己の端末ＩＤとを配信サーバ６００に送信する。また、閲覧端末５００は、配信サーバ６００から記事データを受信し、受信した記事データを表示部（図示せず）に表示する。
【００４７】
配信サーバ６００は、閲覧端末５００に共有記事サーバ７００の記事データを配信するサーバであって、図２に示すように、対応関係記憶部６０１、記事投稿端末記憶部６０２、ユーザＩＤ取得部６０３、および記事取得送信部６０４を備える。
【００４８】
対応関係記憶部６０１は、あらかじめ、投稿端末４００のユーザにより情報が登録され、共有記事サーバ７００の記事データを投稿する投稿端末４００と、それを閲覧する閲覧端末５００とを対応付けて記憶する。具体的には、対応関係記憶部６０１は、投稿端末４００の端末ＩＤ、投稿端末４００のユーザのユーザＩＤ、および閲覧端末５００の端末ＩＤをそれぞれ対応付けて記憶する。このように、投稿端末４００と閲覧端末５００とを対応付けておくことにより、投稿端末４００のユーザは友人といった特定のユーザに自身が投稿した記事データを閲覧させることができる。
【００４９】
記事投稿端末記憶部６０２は、番組の記事データを共有記事サーバ７００に投稿したユーザの端末を記憶する。具体的には、記事投稿端末記憶部６０２は、番組ＩＤ、および投稿端末４００の端末ＩＤを投稿端末４００から受信すると、対応付けて記憶する。
【００５０】
ユーザＩＤ取得部６０３は、閲覧端末５００から受信した番組ＩＤ、時間情報、および閲覧端末５００の端末ＩＤに基づいて、対応関係記憶部６０１および記事投稿端末記憶部６０２からユーザＩＤを取得する。
【００５１】
記事取得送信部６０４は、ユーザＩＤ取得部６０３において取得したユーザＩＤと、閲覧端末５００から受信した時間情報とに基づいて、共有記事サーバ７００から記事データを取得する。そして、記事取得送信部６０４は、取得した記事データを閲覧端末５００に送信する。記事データを取得する際に、ユーザＩＤだけでなく、時間情報を用いることにより、番組の放送開始日時から放送終了日時に投稿された記事データを取得することができる。これにより、例えば、毎週放送されている番組において、前週に放送された番組の録画を閲覧側受信機３００にてユーザが視聴した際に、今週に放送された番組の記事データではなく、前週に放送された際に投稿された記事データを閲覧端末５００に表示することができる。
【００５２】
＜放送コミュニケーションシステムの処理＞
放送コミュニケーションシステムの処理は、投稿端末４００が行う投稿処理と、閲覧端末５００が行う閲覧処理との２つの処理を含む。それぞれの処理について、図３および図４を用いて説明する。
【００５３】
図３は、第１の実施形態に係る放送コミュニケーション処理の投稿処理のフロー図である。
【００５４】
まず、ステップＳ１において、投稿側受信機２００は、番組データが再生されると、再生された番組データの番組ＩＤを投稿端末４００に送信する。
【００５５】
次に、ステップＳ２において、投稿端末４００は、投稿側受信機２００から番組ＩＤを受信した後に、投稿端末４００は、ユーザＩＤおよび記事データを共有記事サーバ７００に送信したか否か判断する。ユーザＩＤおよび記事データを共有記事サーバ７００に送信した場合（ＹＥＳ）の場合には、ステップＳ３に処理を移し、記事データを共有記事サーバ７００に送信していない場合（ＮＯ）の場合には、ステップＳ２を再度実施する。
【００５６】
次に、ステップＳ３において、共有記事サーバ７００は、投稿端末４００から受信した記事データおよびユーザＩＤと、記事データが投稿された日時を示す時間情報を対応付けて記憶する。
【００５７】
次に、ステップＳ４において、投稿端末４００は、共有記事サーバ７００への記事データ送信が、投稿側受信機２００において番組データが再生されてから初めてであるか否か判断する。初めてである場合に（ＹＥＳ）の場合には、ステップＳ５に処理を移し、初めてでない（ＮＯ）場合には、ステップＳ７に処理を移す。
【００５８】
次に、ステップＳ５において、投稿端末４００は、受信した番組ＩＤと、自己の端末ＩＤとを配信サーバ６００に送信する。
【００５９】
次に、ステップＳ６において、配信サーバ６００は、受信した番組ＩＤと、投稿端末４００の端末ＩＤとを記事投稿端末記憶部６０２に記憶する。
【００６０】
次に、ステップＳ７において、投稿端末４００は、投稿側受信機２００において番組データの再生が終了したか否か判断する。再生が終了した場合には、処理を終了し、再生が終了していない場合には、ステップＳ２に戻る。なお、投稿側受信機２００において番組データの再生が終わったか否かは、例えば、投稿端末４００が、投稿側受信機２００から終了通知を受信することにより判断される。
【００６１】
図４、第１の実施形態に係る放送コミュニケーション処理の閲覧処理のフロー図である。
【００６２】
まず、ステップＳ１１において、閲覧側受信機３００は、番組データが再生されると、再生された番組データの番組ＩＤおよび時間情報を、閲覧端末５００に送信する。
【００６３】
次に、ステップＳ１２において、閲覧端末５００は、受信した番組ＩＤおよび時間情報と、自己の端末ＩＤを配信サーバ６００に送信する。
【００６４】
次に、ステップＳ１３において、配信サーバ６００のユーザＩＤ取得部６０３は、対応関係記憶部６０１および記事投稿端末記憶部６０２からユーザＩＤを取得する。
【００６５】
次に、ステップＳ１４において、配信サーバ６００の記事取得送信部６０４は、共有記事サーバ７００から記事データを取得する。
【００６６】
次に、ステップＳ１５において、配信サーバ６００の記事取得送信部６０４は、ステップＳ１４において取得した記事データを閲覧端末５００に送信する。
【００６７】
次に、ステップＳ１６において、閲覧端末５００は、受信した記事データを表示する。
【００６８】
以上説明したように、第１の実施形態によれば、ユーザが閲覧側受信機３００で録画された番組を閲覧する際に、その番組に関して、他のユーザがインターネット上に発信している記事データを、ユーザの閲覧端末５００に表示することにより、ユーザ間のコミュニケーションを支援することができる。また、録画された番組の視聴時には、あたかもリアルタイムに番組を視聴しているかのようなソーシャルメディア体験をユーザに提供することができる。
【００６９】
（第１の変形形態）
図５に、第１の実施形態における第１の変形形態の構成図を示す。図５に示すように、本変形形態において、閲覧側受信機３１０は配信サーバ６１０と情報の送受信を行う。具体的には、閲覧側受信機３１０は、再生された番組データの番組ＩＤと、自己の機器ＩＤとを配信サーバ６１０に送信する。そして、閲覧側受信機３１０は、配信サーバ６１０から受信した端末ＩＤに基づいて閲覧端末５００を選択し、選択した閲覧端末５００に、再生された番組データの番組ＩＤを送信する。
【００７０】
図示しないが、配信サーバ６１０は、端末情報記憶部、および端末情報取得送信部を更に備える。端末情報記憶部は、受信機が情報を送信できる端末をあらかじめ記憶する。具体的には、端末情報記憶部は、受信機の機器ＩＤと、受信機のユーザが使用する端末の端末ＩＤとを対応付けて記憶し、例えば、閲覧側受信機３１０の機器ＩＤと、閲覧端末５００の端末ＩＤを対応付けて記憶する。端末情報取得送信部は、閲覧側受信機３１０から受信した機器ＩＤに基づいて、端末情報記憶部から閲覧端末５００の端末ＩＤを取得する。
【００７１】
配信サーバ６１０の対応関係記憶部６０１は、投稿端末４００の端末ＩＤ、投稿端末４００から記事データを投稿したユーザのユーザＩＤ、および閲覧端末５００の端末ＩＤをそれぞれ対応付けて記憶するが、本変形形態においては、同一種類である投稿端末４００および閲覧端末５００の端末ＩＤを対応付けて記憶する。
【００７２】
本変形形態によれば、投稿端末４００と同一種類の閲覧端末５００に、投稿端末４００から共有記事サーバ７００に送信された記事データを表示することができる。
【００７３】
（第２の変形形態）
本変形形態において、投稿側受信機２００において番組データが再生されている間に、配信サーバ６００が共有記事サーバ７００から取得し、記憶した記事データを、閲覧端末５００は表示する。
【００７４】
図示しないが、配信サーバ６００は、共有記事取得部と、番組記事記憶部を備える。共有記事取得部は、投稿端末４００からユーザＩＤおよび時間情報を受信すると、時間情報に従って、ユーザＩＤに基づいて共有記事サーバ７００から記事データを取得する。具体的には、共有記事取得部は、時間情報から得られる番組の放送時間の間、共有記事サーバ７００から記事データを取得する。なお、共有記事取得部は、共有記事サーバ７００から記事データを逐次的に取得する。これにより、投稿側受信機２００において番組が再生されている間に、投稿端末４００から共有記事サーバ７００に投稿された記事を、配信サーバ６００に記憶させておくことができる。なお、時間情報が番組の放送時間を含む場合には、それを用いてもよい。そして、共有記事取得部は、取得した記事データを、受信したユーザＩＤおよび番組ＩＤに対応付けて番組記事記憶部に記憶する。
【００７５】
本変形形態において、記事取得送信部６０４は、記事データを共有記事サーバ７００からではなく、番組記事記憶部から取得する。
【００７６】
本変形形態によれば、投稿側受信機２００において番組が再生されている間に、投稿端末４００から投稿された記事データを、配信サーバ６００にあらかじめ記憶しておくことができる。それにより、投稿側受信機２００に録画した番組をユーザが視聴した際に、ユーザが投稿端末４００からソーシャルメディアに投稿した記事を、同一番組を録画により視聴するユーザの閲覧端末５００に表示することが可能となる。
【００７７】
（第３の変形形態）
図６に、第１の実施形態における第３の変形形態の構成図を示す。図６に示すように、本変形形態において、閲覧端末５１０は、投稿端末４１０の機能を更に有し、投稿端末４１０は閲覧端末５１０の機能を更に有する。すなわち、閲覧端末５１０および投稿端末４１０は、いずれも、記事データの投稿、記事データの取得、および記事データの表示を行うことができる。
【００７８】
本変形形態において、時間情報は、番組の放送開始時刻および放送終了時刻を含む。そして、本変形形態において、配信サーバ６００の記事取得送信部６０４は、投稿端末４１０または閲覧端末５１０から受信した時間情報の放送開始時刻から放送終了時刻の間、逐次的に、投稿端末４１０または閲覧端末５１０から取得したユーザＩＤに基づいて、共有記事サーバ７００から記事データを取得する。そして、記事取得送信部６０４は、取得した記事データを投稿端末４１０および閲覧端末５１０に送信する。
【００７９】
本変形形態によれば、ユーザが閲覧側受信機３００で番組をリアルタイムに視聴する際に、その番組を視聴している他のユーザが、その番組に関して、リアルタイムにインターネット上に発信している記事データを、ユーザの閲覧端末に表示することができる。それにより、リアルタイムで放送された番組の視聴時に、ユーザ間のコミュニケーションを促進することができる。なお、投稿端末においても、同様である。
【００８０】
＜第２の実施形態＞
図７から図８を用いて、本発明の第２の実施形態について説明する。
【００８１】
図７は、第２の実施形態に係る放送コミュニケーションシステム２の構成図である。図７に示すように、本実施形態に係る放送コミュニケーションシステム２は、放送局１００、登録端末４２０、閲覧側受信機３２０、閲覧端末５２０、配信サーバ６２０、および端末情報サーバ８００を備える。
【００８２】
第２の実施形態に係る各装置の機能について、図７ともに、図８に示す第２の実施形態に係る配信サーバ６２０の構成を示す機能ブロック図を用いて説明する。なお、第１の実施形態と同一の符号を付す構成要素については、同一の機能を有することから、その詳細な説明は省略する。
【００８３】
登録端末４２０は、閲覧端末５２０のユーザに閲覧させたいコンテンツを登録するのに用いる端末である。なお、本実施形態において、登録端末４２０は、ユーザの携帯電話機とするが、通信機能を有する端末であればよく、また、ユーザ以外に、コンテンツの配信元である企業等の端末であってもよい。登録端末４２０は、ユーザから受け付けた番組ＩＤおよびコンテンツを配信サーバ６２０に送信する。なお、コンテンツに限らず、コンテンツの格納先を示すＵＲＬやＩＰアドレス等であってもよい。
【００８４】
閲覧側受信機３２０は、放送局１００から番組データを受信し、受信した番組データを出力する。なお、閲覧側受信機３２０は、番組データを録画してもよい。また、閲覧側受信機３２０は、番組ＩＤや番組の時間情報といった番組情報を有するＥＰＧ情報を放送局１００から受信する。閲覧側受信機３２０は、番組データが出力すると、出力した番組データの番組ＩＤを受信したＥＰＧ情報から抽出する。そして、閲覧側受信機３２０は、抽出した番組ＩＤと、自己の機器ＩＤとを閲覧端末５２０に送信する。なお、本実施形態において、番組データには、映像データおよび音声データが含まれる。なお、番組情報にコンテンツ配信要求を含んでもよいし、番組データとともにコンテンツ要求を放送局１００が送信してもよい。この場合、閲覧側受信機３２０は、コンテンツ配信要求も併せて、閲覧端末５２０に送信する。
【００８５】
閲覧端末５２０は、閲覧側受信機３２０から受信した番組ＩＤおよび機器ＩＤ、ならびに自己の端末ＩＤを配信サーバ６２０に送信する。また、閲覧端末５２０は、配信サーバ６２０から受信したコンテンツを表示する。閲覧側受信機３２０からコンテンツ配信要求を受信した場合には、閲覧端末５２０は、コンテンツを表示するとともに、コンテンツ配信要求を表示する。それにより、閲覧端末５２０のユーザに、表示されているコンテンツを他のユーザに配信するように促すことができる。
【００８６】
配信サーバ６２０は、登録端末４２０によりあらかじめ登録されたコンテンツを閲覧端末５２０に配信するサーバである。図８に示すように、配信サーバ６２０は、端末照会部６２１、コンテンツ取得送信部６２２、およびコンテンツ記憶部６２３を備える。
【００８７】
端末照会部６２１は、閲覧端末５２０から受信した機器ＩＤおよび端末ＩＤが、後述する端末情報サーバ８００に記憶されているか否か照会する。そして、端末照会部６２１は、照会できた場合、すなわち、閲覧端末５２０から受信した機器ＩＤおよび端末ＩＤが、端末情報サーバ８００に記憶されている場合に、閲覧端末５２０へのコンテンツの配信が許可され、コンテンツ取得送信部６２２に端末照会ができた旨の通知を送信する。一方、照会できなかった場合には、コンテンツ取得送信部６２２にコンテンツ取得要求を送信しない。このように、閲覧側受信機３２０と閲覧端末５２０とがあらかじめ端末情報サーバ８００に記憶されていない場合に、閲覧端末５２０にコンテンツを配信しないことで、閲覧側受信機３２０と関係がない端末にコンテンツが送信されることを防ぐことができる。
【００８８】
コンテンツ記憶部６２３は、登録端末４２０から受信した番組ＩＤおよびコンテンツを対応付けて記憶する。なお、端末ＩＤに種類ＩＤが含まれる場合に、コンテンツ記憶部６２３は、端末の種類を識別する種類ＩＤを番組ＩＤおよびコンテンツに対応付けて記憶する。
【００８９】
コンテンツ取得送信部６２２は、端末照会部６２１から端末照会ができた旨の通知を受信すると、閲覧端末５２０から受信した番組ＩＤに基づいて、コンテンツ記憶部６２３からコンテンツを取得する。そして、コンテンツ取得送信部６２２は、取得したコンテンツを閲覧端末５２０に送信する。なお、コンテンツ取得送信部６２２は、端末ＩＤに種類ＩＤが含まれる場合に、閲覧端末５２０から受信した端末ＩＤから種類ＩＤを抽出し、抽出した種類ＩＤと閲覧端末５２０から受信した番組ＩＤに基づいて、コンテンツ記憶部６２３からコンテンツを取得する。これにより、閲覧端末５２０に、端末の種類に適したコンテンツを表示させることができる。
【００９０】
端末情報サーバ８００は、関係のある受信機と端末を記憶し、具体的には、機器ＩＤと端末ＩＤとを対応付けて記憶する。関係のある受信機と端末とは、例えば、同一ユーザの受信機と端末、同一家族の受信機と端末等である。
【００９１】
以上説明したように、本実施形態によれば、登録端末４２０のユーザがあらかじめ指定した、番組に関するコンテンツを、閲覧端末５２０に表示することができる。
【００９２】
（第１の変形形態）
図９に、第２の実施形態における第１の変形形態の構成図を示す。図９に示すように、本変形形態において、許可情報サーバ９００を更に備える。また、図示しないが、配信サーバ６３０は、許可照会部を備える。許可情報サーバ９００は、閲覧端末５２０のユーザがコンテンツ登録を許可する登録端末４２０を記憶し、具体的には、登録端末４２０の端末ＩＤと閲覧端末５２０の端末ＩＤとを対応付けて記憶する。
【００９３】
許可照会部は、登録端末４２０から受信した登録端末４２０の端末ＩＤおよび閲覧端末５２０の端末ＩＤが、許可情報サーバ９００に記憶されているか否か照会する。そして、許可照会部は、照会できた場合、すなわち、登録端末４２０から受信した登録端末４２０の端末ＩＤおよび閲覧端末５２０の端末ＩＤが、許可情報サーバ９００に記憶されている場合に、コンテンツ記憶部６２３へのコンテンツ登録が許可され、登録端末４２０から受信した番組ＩＤおよびコンテンツをコンテンツ記憶部６２３に記憶する。一方、照会できなかった場合には、コンテンツ記憶部６２３へのコンテンツ登録が許可されず、コンテンツ記憶部６２３にコンテンツ登録ができない。
【００９４】
本変形形態によれば、閲覧端末５２０に表示されるコンテンツを、閲覧端末５２０のユーザがあらかじめ許可した登録端末４２０のユーザが登録したコンテンツに限ることができる。
【００９５】
（第２の変形形態）
図１０に、第２の実施形態における第２の変形形態の構成図を示す。本変形形態において、図１０に示すように、本変形形態において、文字データサーバ１０００を更に備える。また、図示しないが、配信サーバ６４０は、文字データ取得部および抽出部を更に備える。
【００９６】
文字データサーバ１０００は、番組情報に含まれる文字データを記憶し、具体的には、番組ＩＤと、文字データと、表示時刻情報とを対応付けて記憶する。ここで、文字データとは、字幕データやタグデータ等の文字からなるデータである。また、表示時刻とは、文字データを表示する時刻であって、例えば、番組データが再生されてからの経過時刻である。
【００９７】
本変形形態において、登録端末４３０は、ユーザから受け付けた番組ＩＤ、語句、およびコンテンツを配信サーバ６４０に送信する。なお、語句は、番組およびコンテンツを特徴付ける語句である。また、本変形形態において、コンテンツ記憶部６２３は、登録端末４３０から受信した端末ＩＤ、語句、およびコンテンツをそれぞれ対応付けて記憶する。
【００９８】
文字データ取得部は、閲覧端末５２０から受信した番組ＩＤに基づいて、文字データおよび表示時刻情報を文字データサーバ１０００から取得する。抽出部は、文字データ取得部において取得された表示時刻情報に従って、文字データ取得部において取得された文字データから語句を抽出する。具体的には、抽出部は、取得した文字データの表示時刻に、その文字データから語句を抽出する。
【００９９】
本変形形態において、コンテンツ取得送信部６２２は、端末照会部６２１から端末照会ができた旨の通知を受信した後、抽出された語句を抽出部から取得すると、抽出した語句と、閲覧端末５２０から受信した番組ＩＤおよび端末ＩＤとに基づいて、コンテンツ記憶部６２３からコンテンツを取得し、取得したコンテンツを閲覧端末５２０に送信する。すなわち、閲覧側受信機３２０に文字データが表示される時刻に、コンテンツ取得送信部６２２は、文字データに基づいて取得したコンテンツを閲覧端末５２０に送信する。
【０１００】
本変形形態によれば、番組データを再生している閲覧側受信機３２０に文字データが表示される際に、閲覧端末５２０に文字データに関連するコンテンツを表示することができる。
【０１０１】
（第３の変形形態）
図１１に、第２の実施形態における第３の変形形態の構成図を示す。本変形形態において、図１１に示すように、文字データサーバ１０００、共有記事サーバ１１００を更に備える。また、図示しないが、配信サーバ６５０は、記事データ取得部およびユーザ情報記憶部を更に備える。なお、本変形形態は、上述した第２の実施形態における第３の変形形態の変形であって、第２の実施形態における第３の変形形態と同一の符号または名称を付す構成要素については、同一の機能を有することから、その詳細な説明は省略する。
【０１０２】
共有記事サーバ１１００は、インターネット上で共有する記事データと、記事データを送信したユーザのユーザＩＤとを記憶する。
【０１０３】
本変形形態において、登録端末４３０は、番組ＩＤ、自己の端末ＩＤ、閲覧端末５３０の端末ＩＤ、コンテンツとともに、登録端末４３０のユーザが共有記事サーバ１１００に記事を送信する際に用いるユーザＩＤを配信サーバ６５０に送信する。
【０１０４】
本変形形態において、閲覧端末５３０は、コンテンツ取得送信部６２２から登録端末４３０の端末ＩＤを受信する。そして、閲覧端末５３０は、受信した端末ＩＤに基づいて、登録端末４３０にアクセスし、登録端末４３０と通信を開始する。これにより、閲覧端末５３０のユーザと登録端末４３０のユーザとが、チャットや通話等のコミュニケーションを行うことができる。
【０１０５】
ユーザ情報記憶部は、共有記事サーバ１１００に記事を投稿するユーザとその端末を記憶し、具体的には、登録端末４３０のユーザＩＤと、登録端末４３０の端末ＩＤとを対応付けて記憶する。記事データ取得部は、抽出された語句を抽出部から受信すると、抽出された語句に基づいて、記事データおよびユーザＩＤを共有記事サーバ１１００から取得する。これにより、字幕やタグ情報等の文字データに関連する記事データを共有記事サーバ１１００から取得できる。
【０１０６】
本変形形態において、コンテンツ取得送信部６２２は、端末照会部６２１から端末照会ができた旨の通知を受信した後、記事データおよびユーザＩＤを記事データ取得部から受信すると、受信した記事データを閲覧端末５３０に送信する。また、コンテンツ取得送信部は、受信したユーザＩＤに基づいて、登録端末４３０の端末ＩＤをユーザ情報記憶部から取得し、閲覧端末５３０に送信する。これにより、閲覧端末５３０のユーザは、表示された記事データを投稿したユーザにアクセスすることができる。
【０１０７】
本変形形態において、閲覧端末５３０のユーザは、端末に表示された記事データを投稿した登録端末４３０のユーザとチャットといったコミュニケーション通信を行うことができる。
【０１０８】
本変形形態によれば、番組を視聴したことを契機に、閲覧端末５３０のユーザは、その番組の記事を共有記事サーバ１１００に送信している登録端末４３０のユーザとコミュニケーションを行うことができる。
【０１０９】
（第４の変形形態）
図１２に、第２の実施形態における第４の変形形態の構成図を示す。本変形形態において、図１２に示すように、登録側受信機２１０を更に備える。また、図示しないが、配信サーバ６６０は、端末ＩＤ送信部を更に備える。
【０１１０】
登録側受信機２１０は、放送局１００から番組情報を受信する。また、登録側受信機２１０は、番組ＩＤや番組の時間情報といった番組情報を有するＥＰＧ情報を放送局１００から受信する。登録側受信機２１０は、番組データを出力すると、出力した番組データの番組ＩＤを受信したＥＰＧ情報から抽出する。そして、登録側受信機２１０は、抽出した番組ＩＤと、自己の機器ＩＤとを登録端末４４０に送信する。
【０１１１】
本変形形態における登録端末４４０は、登録側受信機２１０から受信した番組ＩＤと、自己の端末ＩＤとを配信サーバ６６０に送信する。また、登録端末４４０は、閲覧端末５４０の端末ＩＤを配信サーバ６６０から受信する。そして、登録端末４４０は、閲覧端末５４０の端末ＩＤに基づいて、登録端末４４０にアクセスし、登録端末４４０と通信を開始する。これにより、閲覧端末５４０のユーザと登録端末４４０のユーザとが、チャットや通話等のコミュニケーションを行うことができる。
【０１１２】
本変形形態における閲覧端末５４０は、登録端末４４０と通信を行う。配信サーバ６６０から登録端末４４０の端末ＩＤを受信した場合には、閲覧端末５４０は、受信した端末ＩＤに基づいて、登録端末４３０にアクセスし、登録端末４４０と通信を開始してもよいし、登録端末４４０からアクセスを受けた際に、配信サーバ６６０から受信した端末ＩＤに基づいて、通信を行う登録端末４４０であるか確認した後に、通信を行ってもよい。
【０１１３】
本変形形態における許可照会部は、登録端末４４０から受信した番組ＩＤと、閲覧端末５４０から受信した番組ＩＤとが一致する場合に、受信した登録端末４４０の端末ＩＤおよび受信した閲覧端末５４０の端末ＩＤが、許可情報サーバ９００に記憶されているか否か照会する。また、本変形形態における端末照会部は、登録端末４４０から受信した機器ＩＤおよび端末ＩＤが端末情報サーバ８００に記憶されているか否か照会するとともに、閲覧端末５４０から受信した機器ＩＤおよび端末ＩＤが端末情報サーバ８００に記憶されているか否か照会する。
【０１１４】
端末ＩＤ送信部は、許可照会部から許可情報照会ができた旨の通知を受信するとともに、端末照会部から端末照会ができた旨の通知を受信すると、受信した閲覧端末５４０の端末ＩＤを登録端末４４０に送信する。なお、端末ＩＤ送信部は、受信した登録端末４４０の端末ＩＤを閲覧端末５４０に送信してもよい。この場合、閲覧端末５４０が、登録端末４４０との通信を開始する。また、端末ＩＤ送信部は、登録端末４４０および閲覧端末５４０の両方に、それぞれ相手の端末ＩＤを送信してもよい。この場合、一方が通信開始の要求を行うと、他方にて、要求を行った相手が、通信を行う相手であるか確認することができる。
【０１１５】
本変形形態によれば、同じ番組を閲覧したユーザ同士が、端末を用いてコミュニケーションを行うことができる。
【符号の説明】
【０１１６】
１      放送コミュニケーションシステム
１００  放送局
２００  投稿側受信機
３００  閲覧側受信機
４００  投稿端末
５００  閲覧端末
６００  配信サーバ
７００  共有記事サーバ
【図１】
0005432850.tif 000002
【図２】
0005432850.tif 000003
【図３】
0005432850.tif 000004
【図４】
0005432850.tif 000005
【図５】
0005432850.tif 000006
【図６】
0005432850.tif 000007
【図７】
0005432850.tif 000008
【図８】
0005432850.tif 000009
【図９】
0005432850.tif 000010
【図１０】
0005432850.tif 000011
【図１１】
0005432850.tif 000012
【図１２】
0005432850.tif 000013